(57)【特許請求の範囲】
【請求項１】
デジタル信号である放送信号を受信して選局するチューナと、
チューナで受信された放送信号より所望チャンネルの画像データを分離するデータ分離部と、
該データ分離部より与えられる画像データを復号化するデコーダと、
所定画像の画像データを格納するメモリと、
前記メモリから前記所定画像の画像データの読み出しを行うとともに、前記デコーダからの画像データ又は前記所定画像の画像データを出力する画像重畳部と、
該画像重畳部から与えられる画像データを再生する画像出力部と、
を有し、
前記チューナが所望チャンネルの選局を開始したとき、前記画像重畳部が前記メモリから前記所定画像の画像データを読み出して前記画像出力部に与え、前記デコーダに前記データ分離部より前記所望チャンネルの画像データが与えられて復号化されるまで、前記画像出力部によって前記所定画像が再生された後、前記デコーダより前記所望チャンネルの画像データが前記画像重畳部に与えられると、前記所望チャンネルの映像が前記画像出力部によって再生されるとともに、
前記所望チャンネルの映像が前記画像出力部で再生されているとき、前記デコーダにおいて前記チューナで受信された放送信号より特定の画像データが得られて、当該特定の画像データが前記デコーダより前記画像重畳部に与えられると、前記画像重畳部において前記デコーダからの画像データに前記所定画像の画像データが重畳され、前記所定画像が重畳した映像が前記画像出力部によって再生されることを特徴とする受信装置。
【請求項２】
前記所定画像が、所定業者のロゴマークを含んだ画像であることを特徴とする請求項１に記載の受信装置。
【請求項３】
前記特定の画像データが、所定業者の宣伝及び広告を行うためのコマーシャル映像の画像データであり、前記所定画像に関連した画像データであることを特徴とする請求項１又は請求項２に記載の受信装置。
【請求項４】
前記所定画像が、放送信号として受信することで獲得された画像であることを特徴とする請求項１〜請求項３のいずれかに記載の受信装置。
【請求項５】
通信ネットワークに接続されるとともに、前記所定画像が、前記通信ネットワークを介して受信することで獲得された画像であることを特徴とする請求項１〜請求項４のいずれかに記載の受信装置。
【請求項６】
前記デコーダが、高能率符号化方式に準じた復号化を行うことを特徴とする請求項１〜請求項５のいずれかに記載の受信装置。
【請求項７】
前記高能率符号化方式がＭＰＥＧ方式であることを特徴とする請求項６に記載の受信装置。
【請求項８】
前記放送信号が、複数のチャンネルの放送信号が多重化されていることを特徴とする請求項１〜請求項７のいずれかに記載の受信装置。
【請求項９】
チャンネル切換が指示されたときに、前記所定画像が再生されることを特徴とする請求項１〜請求項８のいずれかに記載の受信装置。
【請求項１０】
前記所定画像が、予め格納されている画像であることを特徴とする請求項１〜請求項９のいずれかに記載の受信装置。
【請求項１１】
電源投入時に、前記所定画像が再生されることを特徴とする請求項１〜請求項１０のいずれかに記載の受信装置。
【発明の詳細な説明】
【０００１】
【発明の属する技術分野】
本発明は、映像信号を受信し、映像を表示する端末装置や放送受信装置などの受信装置に関するものであり、特に、デジタル信号となる放送信号を受信するデジタル放送受信装置に関する。
【０００２】
【従来の技術】
近年、デジタル技術が発展し、デジタル変復調における安定性や高能率符号化の確立による多チャンネル化などの理由から、衛星放送やケーブルテレビ放送などのテレビ放送において、デジタル放送技術が取り入れられており、地上波放送などにおいても、次世代技術として注目されている。このようなデジタル放送を受信するためのデジタル放送受信装置の構成は、図４のブロック図のように表される。
【０００３】
図４に示すデジタル放送受信装置は、アンテナ１０１で受信されたデジタル放送信号より、ユーザーの所望するチャンネルのＴＳ（Ｔｒａｎｓｐｏｒｔ  Ｓｔｒｅａｍ）が含まれる複数チャンネルのＴＳが多重化されて成るトランスポンダのＴＳが、ＣＰＵ（Ｃｅｎｔｒａｌ  Ｐｒｏｃｅｓｓｉｎｇ  Ｕｎｉｔ）１０６によってチューナ１０２のチューニング動作が制御されることで、得られる。そして、ＴＳ分離部１０３によって、得られたトランスポンダのＴＳ内の論理チャンネル情報が選択されて、ＣＰＵ１０６に与えられると、ＣＰＵ１０６において、ユーザー所望のチャンネルのＴＳ内の規格情報となるセクションデータの位置が解析される。
【０００４】
そして、解析されたセクションデータの位置に基づいて、ＣＰＵ１０６は、１トランスポンダのＴＳを分離して、ユーザー所望のチャンネルのＴＳ内のセクションデータが得られるように、ＴＳ分離部１０３を制御する。このセクションデータは、ＣＰＵ１０６に送出されると、ユーザー所望のチャンネルのＴＳ内における画像データの位置が解析される。
【０００５】
この解析された画像データの位置に基づいて、ＣＰＵ１０６は、ユーザー所望のチャンネルのＴＳを分離して、画像データが得られるように、ＴＳ分離部１０３を制御する。そして、このＴＳ分離部１０３で分離された画像データがデコーダ１０４に送出されると、デコーダ１０４で復号化された後、画像出力装置１０５においてエッジ強調や画像補間などの各種画像処理が行われた後、画像再生される。
【０００６】
【発明が解決しようとする課題】
よって、このようなデジタル放送受信装置は、電源投入時やチャンネル切換時において、まず、チューナ１０１が所望のチャンネルを含むトランスポンダでのチューニングを確定した後に、まず、ＴＳ分離部１０３で分離されたチャンネル情報がＣＰＵ１０６に与えられると、所望のチャンネルのセクションデータの位置をＣＰＵ１０６が解析する。そして、このセクションデータをＣＰＵ１０６が解析されて初めて、所望のチャンネルのＴＳ内に含まれる画像データを得ることができる。
【０００７】
このとき、チューナ１０１におけるチューニングの確定に、０．５〜１秒程度かかり、又、ＴＳ分離部１０３で画像データが分離されるまでに、０．２秒程度までかかることがある。更に、デコーダ１０４では、画像データがＴＳ分離部１０３で分離されて送出されると、ＭＰＥＧ（Ｍｏｖｉｎｇ  Ｐｉｃｔｕｒｅ  Ｅｘｐｅｒｔｓ  Ｇｒｏｕｐ）方式による復号化が施される。
【０００８】
このＭＰＥＧ方式では、Ｉ（Ｉｎｔｒａ）ピクチャ、Ｐ（Ｐｒｅｄｉｃｔｉｖｅｌｙ）ピクチャ、Ｂ（Ｂｉｄｉｒｅｃｔｉｏｎａｌｙ）ピクチャの３種類のデータが、図３のような順番でデコーダ１０４に送出される。しかしながら、Ｐピクチャは過去のＩピクチャやＰピクチャにより予測（順方向予測）された信号であり、又、Ｂピクチャは過去及び未来に存在するＩピクチャとＰピクチャによる予測（双方向予測）された信号である。よって、Ｉピクチャのみフレームで処理された信号であり、ＰピクチャやＢピクチャはそれ単体では復号化できない。そのため、デコーダ１０４は、Ｉピクチャが与えられるまで待機する必要がある。
【０００９】
そして、このデコーダ１０４は、その内部にバッファを有しているので、バッファ内に、データをある程度蓄積させた状態から復号化を行うとともに、バッファのオーバーフローやアンダーフローを管理しながら復号化を行う。このように、デコーダ１０４は、ＴＳ分離部１０３より画像データが与えられるとすぐに復号化動作を開始するわけではない。
【００１０】
よって、ユーザーが電源投入又はチャンネル切換を指示してから、ユーザーの所望するチャンネルの映像が再生されるまでに、数秒かかり、タイムラグが発生する。このようにタイムラグが発生している間、従来は、画像出力装置１０５からの出力をなしとするミュート状態にしていた。又、チャンネル切換時においては、切換前のチャンネルの最後の画像データによる画像を、チャンネル切換動作が終了して、所望のチャンネルの画像データが再生されるまで、再生され続けるようにしているものもあった。
【００１１】
そこで、本発明は、電源投入時やチャンネル切換時に発生するタイムラグの期間を利用して、効果的な画像を再生することが可能な受信装置を提供することを目的とする。
【００１２】
【課題を解決するための手段】
上記目的を達成するために、本発明の受信装置は、映像信号を受信し、映像を再生する受信装置において、受信映像の表示が開始されるまでに、所定画像を再生することを特徴とする。
【００１３】
このような受信装置によると、例えば、ユーザーが所望する番組などの映像を再生するために、映像信号の受信動作が開始されてから映像表示されるまでの間、例えば、宣伝、広告をかねたロゴマークの表示やユーザーの好みの画像を表示させることができる。
【００１４】
又、本発明の受信装置は、映像信号を受信し、映像を再生する受信装置において、特定の映像に同期して、所定画像を再生することを特徴とする。
【００１５】
このような受信装置によると、例えば、放送信号を受信する放送受信装置として動作すると、特定の業者のコマーシャルを検出したとき、該業者の最新の広告画像を所定画像として再生して、視聴者に視聴させることができる。
【００１６】
又、本発明の受信装置は、映像信号を受信し、映像を再生する受信装置において、特定の映像に同期して、所定画像を該特定の映像とともに再生することを特徴とする。
【００１７】
このような受信装置によると、例えば、放送信号を受信する放送受信装置として動作すると、特定の業者のコマーシャルを検出したとき、該業者のロゴマークとともにコマーシャル映像を再生して、視聴者に視聴させることができる。
【００１８】
又、放送信号を受信する受信装置であるとき、例えば、チャンネル切換が指示されて、選局動作が開始してから所望チャンネルの映像が再生されるまで、所定画像が再生されるようにすることで、例えば、宣伝、広告をかねたロゴ表示やユーザーの好みの画像を表示させることができる。
【００１９】
又、前記映像信号が、放送信号を受信することによって獲得され、前記特定の映像が、所定業者の宣伝及び広告を行うためのコマーシャル映像であり、該コマーシャル映像が再生される時間に前記所定画像が再生されるようにしても構わない。
【００２０】
又、前記所定画像を、放送信号として受信することで獲得された画像としても構わない。
【００２１】
又、通信ネットワークに接続され、接続先の映像情報を受信し、受信映像を再生する受信装置である場合、前記通信ネットワークを介して獲得するコンテンツの切換が行われるときに、前記所定画像が再生されるようにすることで、例えば、インターネットにおいて視聴するサイトを切り換えるときに、宣伝、広告をかねたロゴ表示やユーザーの好みの画像を表示させることができる。
【００２２】
又、前記通信ネットワークを介して新たな情報を獲得指示がされたときに、前記所定画像が再生されるようにすることで、例えば、新たな情報コンテンツをダウンロードしている間に、宣伝、広告をかねたロゴ表示やユーザーの好みの画像を表示させることができる。
【００２３】
又、前記所定画像を、前記通信ネットワークを介して受信することで獲得された画像としても構わない。
【００２４】
又、電源投入時に、前記所定画像が再生されるようにすることで、例えば、放送信号を受信する受信装置の場合は、所望チャンネルの映像を受信して表示するまでの間、又、通信ネットワークを通じて映像を受信する受信装置の場合は、所望サイトの映像をダウンロードして表示するまでの間、宣伝、広告をかねたロゴ表示やユーザーの好みの画像を表示させることができる。
【００２５】
又、本発明の受信装置は、デジタル信号である放送信号を受信して選局するチューナと、チューナで受信された放送信号より所望チャンネルの画像データを分離するデータ分離部と、該データ分離部より与えられる画像データを復号化するデコーダと、所定画像の画像データを格納するメモリと、前記メモリから前記所定画像の画像データの読み出しを行うとともに、前記デコーダからの画像データ又は前記所定画像の画像データを出力する画像重畳部と、該画像重畳部から与えられる画像データを再生する画像出力部と、を有し、前記チューナが所望チャンネルの選局を開始したとき、前記画像重畳部が前記メモリから前記所定画像の画像データを読み出して前記画像出力部に与え、前記デコーダに前記データ分離部より前記所望チャンネルの画像データが与えられて復号化されるまで、前記画像出力部によって前記所定画像が再生された後、前記デコーダより前記所望チャンネルの画像データが前記画像重畳部に与えられると、前記所望チャンネルの映像が前記画像出力部によって再生されるとともに、前記所望チャンネルの映像が前記画像出力部で再生されているとき、前記デコーダにおいて前記チューナで受信された放送信号より特定の画像データが得られて、当該特定の画像データが前記デコーダより前記画像重畳部に与えられると、前記画像重畳部において前記デコーダからの画像データに前記所定画像の画像データが重畳され、前記所定画像が重畳した映像が前記画像出力部によって再生されることを特徴とする。
【００２６】
このような受信装置は、例えば、デジタル放送を受信する場合、複数チャンネルのＴＳが多重化されたＴＳのうち、所望チャンネルのＴＳが多重化されたトランスポンダのＴＳをチューナで選局してから、このＴＳより所望チャンネルの画像データをデータ分離部で取得して、デコーダで復号化するまでの間、例えば、宣伝、広告をかねたロゴ表示やユーザーの好みの画像を表示させることができる。又、特定の業者のコマーシャルの画像データがデータ分離部で分離されたことが検出されたとき、例えば、該業者のロゴマークとともにコマーシャル映像を再生して、視聴者に視聴させることができる。
【００３１】
又、前記デコーダが、高能率符号化方式に準じた復号化を行うものであっても良い。更に、前記高能率符号化方式がＭＰＥＧ方式であっても良い。又、前記デジタル放送信号が、複数のチャンネルの放送信号が多重化されているものとしても良い。
【００３２】
又、チャンネル切換が指示されて、選局動作が開始してから所望チャンネルの映像が再生されるまで、所定画像が再生されるようにすることで、例えば、宣伝、広告をかねたロゴ表示やユーザーの好みの画像を表示させることができる。
【００３３】
又、前記所定画像が、予め格納されているようにすることで、すぐに読み出して再生表示させることができる。
【００３４】
又、電源が投入されて、選局動作が開始してから所望チャンネルの映像が再生されるまで、所定画像が再生されるようにすることで、例えば、宣伝、広告をかねたロゴ表示やユーザーの好みの画像を表示させることができる。
【００３８】
上述の受信装置の画像再生方法において、映像信号が放送信号より得られるようにしたとき、放送信号のチャンネルが切り換えられるように指示されたときなどの選局動作を行ったときに、宣伝、広告をかねたロゴ表示やユーザーの好みの画像を表示させることができる。又、所定業者のコマーシャル映像に同期して、この所定業者の最新情報やロゴマークとする所定画像を再生することができる。
【００３９】
又、上述の受信装置の画像再生方法において、インターネットなどの通信ネットワークを通じてホームページなどの映像信号が得られるようにしたとき、新たなサイトのページをダウンロードする際に、宣伝、広告をかねたロゴ表示やユーザーの好みの画像を表示させることができる。
【００４０】
【発明の実施の形態】
本発明の実施の形態について、図面を参照して説明する。図１は、本実施形態のデジタル放送受信装置の内部構成を示すブロック図である。図２は、図１のデジタル放送受信装置の電源投入時又はチャンネル切換時における動作を示すフローチャートである。
【００４１】
図１に示すデジタル放送受信装置は、デジタル放送信号を受信するアンテナ１と、アンテナ１で受信されたデジタル放送信号より所望のチャンネルのＴＳを含むトランスポンダのＴＳをチューニングするチューナ２と、チューナ２より与えられるＴＳを分離して画像データやセクションデータを取得するＴＳ分離部３と、ＴＳ分離部３より送出されるデータを復号化するデコーダ４と、デコーダ４及びメモリ６からの画像データを選択又は重畳させて出力する画像重畳装置５と、画像データを格納するメモリ６と、画像重畳装置５より出力される画像データに各種画像処理を施した後に画像再生する画像出力装置７と、各ブロックの動作を制御するＣＰＵ８とを有する。
【００４２】
このような構成のデジタル放送受信装置は、電源投入時又はチャンネル切換時において、図２のフローチャートに示される動作を行う。電源投入されたときは、電源が切られたときのチャンネルの映像が再生されるように、又、チャンネルが切り換えられたときは、切り換えるチャンネルの映像が再生されるように、まず、図４のデジタル放送信号と同様、アンテナ１で受信されたデジタル放送信号より、ユーザーの所望するチャンネルのＴＳが含まれる複数のチャンネルのＴＳが多重化されたトランスポンダのＴＳが得られるように、ＣＰＵ８によってチューナ２に対して選局動作を行うための制御命令が与えられる（ＳＴＥＰ１）。
【００４３】
このように、チューナ２に制御命令が与えられると、ＣＰＵ８は、画像重畳装置５に対して、メモリ６内に格納された画像データを読み出すように制御命令を与える（ＳＴＥＰ２）。このメモリ６内に格納された画像データは、予め、メモリ６に格納されたものとしても構わないし、受信した放送信号より得られた画像データをＣＰＵ８が画像重畳装置５に対してメモリ６に書き込むように指示することで格納されたものとしても構わない。
【００４４】
又、メモリ６に書き込まれる場合、その格納される画像データは、放送信号より得られる画像データに限らず、例えば、インターネット上から獲得した画像データとしても構わない。更に、このようにメモリ６より読み出された画像データにより再生される画像は、宣伝や広告用の画像などでも構わないし、ユーザーの好みの画像としても構わない。
【００４５】
そして、目的のトランスポンダのＴＳが得られるように、チューナ２がチューニング周波数を固定したか否かが、ＣＰＵ８において判定される（ＳＴＥＰ３）。このとき、チューニング周波数が固定されると（Ｙｅｓ）、ＣＰＵ８は、所望のチャンネルのＴＳより画像データが分離されるようにＴＳ分離部３に対して制御命令を与える（ＳＴＥＰ４）。又、逆に、チューニング周波数が固定されていないとき（Ｎｏ）、再び、ＳＴＥＰ３の判定動作が行われる。
【００４６】
ＳＴＥＰ４においてＣＰＵ８よりＴＳ分離部３に画像データの分離が指示されると、まず、ＴＳ分離部３において、チューナ２より送出されるＴＳより論理チャンネル情報が分離されて、ＣＰＵ８に与えられる。この論理チャンネル情報がＣＰＵ８で解析され、ＴＳ分離部３に与えられるトランスポンダのＴＳにおける所望チャンネルのＴＳの位置が認識されるとともに、この所望チャンネルのＴＳ内にあるセクションデータの位置が検出される。
【００４７】
そして、ＣＰＵ８によって、ＴＳ分離部３が所望チャンネルのＴＳ内のセクションデータを分離するように制御される。このセクションデータがＣＰＵ８に送出されて解析されると、所望チャンネルのＴＳ内の画像データの位置が認識される。そして、ＣＰＵ８によって、ＴＳ分離部３が所望チャンネルのＴＳ内の画像データを分離してデコーダ４に送出するように制御される。
【００４８】
そして、ＣＰＵ８では、デコーダ４へ与える画像データの分離動作が完了して、所望チャンネルのＴＳ内の画像データがＴＳ分離部３より出力されるか否かの判定が行われる（ＳＴＥＰ５）。このとき、ＴＳ分離部３が画像データを出力する状態になると（Ｙｅｓ）、ＣＰＵ８は、デコーダ４に対して、ＴＳ分離部３より分離されて与えられる画像データの復号化を開始するように制御命令を与える（ＳＴＥＰ６）。又、逆に、ＴＳ分離部３より画像データが出力されていないとき（Ｎｏ）、再び、ＳＴＥＰ５の判定動作が行われる。
【００４９】
ＳＴＥＰ６においてＣＰＵ８よりデコーダ４に画像データの復号化が指示されると、デコーダ４がＭＰＥＧ方式の復号化を行う。このとき、デコーダ４は、図３に示すＩピクチャの検索を行う。即ち、Ｉピクチャ、Ｐピクチャ、Ｂピクチャの３種類の信号のうち、唯一フレームで処理された信号となるＩピクチャを検出して、初めて復号化が可能となる。これは、先述したように、予測された信号であるＰピクチャ及びＢピクチャは、それ単独では復号化を行うことができないためである。
【００５０】
そして、ＣＰＵ８では、デコーダ４にＩピクチャを表す信号が与えられて画像データの復号化が開始したか否かの判定が行われる（ＳＴＥＰ７）。このとき、デコーダ４における画像データの復号化が開始されると（Ｙｅｓ）、ＣＰＵ８が、デコーダ４で復号化された画像データが画像出力装置７に出力されるように、画像重畳装置５に対して制御命令を与える（ＳＴＥＰ８）。又、逆に、デコーダ４における画像データの復号化が開始されていないとき（Ｎｏ）、再び、ＳＴＥＰ７の判定動作が行われる。
【００５１】
ＳＴＥＰ８においてＣＰＵ８より画像重畳装置５がデコーダ４からの画像データを画像出力装置７に出力するように指示されると、画像重畳装置５は、メモリ６の画像データの読み出しを停止する。よって、画像重畳装置５は、デコーダ４より与えられる所望チャンネルの画像データを選択して、画像出力装置７に出力する。そして、所望チャンネルの映像が画像出力装置７で再生される。
【００５２】
又、このようにして所望チャンネルの映像の再生が開始されてから、予めメモリ６に記録されたＥＰＧ（Ｅｌｅｃｔｒｏｎｉｃ  Ｐｒｏｇｒａｍ  Ｇｕｉｄｅ）などの画像データが、ＣＰＵ８によって表示されるように画像重畳装置５が指示されると、読み出すように指示された画像データをメモリ６より画像重畳装置５が読み出した後、デコーダ４で復号化された画像データに重畳して画像出力装置７に出力する。このようにすることで、画像出力装置７において、ＥＰＧなどの画像を、所望チャンネルの映像に重畳された状態で再生することができる。
【００５３】
更に、メモリ６に記録された画像データが、ロゴマークの場合、このロゴマークの会社のコマーシャルを受信したことをＴＳ分離部３で分離されたデータよりＣＰＵ８が検知する。そして、このロゴマークの会社のコマーシャルの画像データにメモリ６内のロゴマークの画像データを画像重畳装置５で重畳することで、メモリ６内の画像データによって表されるロゴマークがコマーシャルとともに画像出力装置７によって再生される。
【００５４】
又、各種放送やインターネットなどの通信媒体より、ロゴマークとともに最新の宣伝を行うための画像がメモリ６に記録されるとき、このロゴマークの会社のコマーシャルを受信したことをＣＰＵ８が検知すると、メモリ６に記録された画像を画像重畳装置５が選択して画像出力装置７で再生することで、ユーザーに最新の宣伝画像を視聴させることができる。
【００５５】
上述したように、電源投入時やチャンネル切換時において、チューナ２が選局動作を開始してから、画像出力装置７によって所望チャンネルの映像が再生されるまでに発生するタイムラグの間（図２のＳＴＥＰ２〜ＳＴＥＰ８の間）に、メモリ６内に格納された画像データによる画像が再生される。よって、この画像が宣伝、広告用の画像であるとき、ユーザーに対して、宣伝効果を持つことになる。又、各種放送やインターネットなどの通信媒体を通じてユーザーが画像データを獲得することによって、この画像をユーザーの好みの画像とすることもできる。
【００５６】
更に、画像重畳装置５は、メモリ６内の複数のビットマップ画像の画像データなどを読み出して、デコーダ４で復号化された画像データに重畳するようなＯＳＤ（Ｏｎ  Ｓｃｒｅｅｎ  Ｄｉｓｐｌａｙ）機能を持つＬＳＩ（Ｌａｒｇｅ  Ｓｃａｌｅ  Ｉｎｔｅｇｒａｔｅｄ  ｃｉｒｃｕｉｔ）とすることにより、チューナ２が選局動作を開始後すぐに画像出力装置７で画像を再生させることができる。
【００５７】
尚、本実施形態においては、省略したが、ＴＳ分離部では、映像データとともに音声データが分離される。この音声データは、デコーダで復号化されると、画像出力装置で再生される画像データと同期して出力されることによって、映像と音声が同期して出力される。又、デコーダでは、ＭＰＥＧ方式の復号化を行うものとしたが、他の高能率符号化方式を用いるものとしても構わない。
【００５８】
更に、本実施形態では、放送回線を用いて放送信号を受信する放送受信装置について説明したが、この放送受信装置に限定されるものではなく、例えば、インターネットなどのネットワーク回線を通じて映像信号の獲得を行うような受信装置においても適用可能である。このような受信装置は、ネットワーク端末装置が設けられた家電製品でも構わないし、携帯端末装置でも構わないし、インターネットを行うためのパーソナルコンピュータでも構わない。
【００５９】
そして、例えば、電源投入とともに特定サイトへの接続が行われるような受信装置である場合、まず、この特定サイトを有するサーバとの通信が確立された後、特定サイトのホームページがダウンロードされて、ホームページの画像が表示される。このように、サーバへの接続とホームページのダウンロードが行われる間、この特定サイトのロゴマークや広告又はユーザーの好みの画像を表示されるようにする。又、ユーザーが視聴するサイトを切り換えるときに、切り換えられたサイトのホームページがダウンロードされるまでに、所定の業者のロゴマークや広告又はユーザーの好みの画像を表示するようにしても構わない。
【００６０】
【発明の効果】
本発明によると、コンテンツの獲得動作が開始されてから所望コンテンツの映像再生が開始される間、例えば、宣伝、広告をかねたロゴ表示といった所定の画像を表示させることができる。よって、所望コンテンツの映像再生が開始されるまでの待機時間に、宣伝効果を持たせることができる。又、所定の画像をユーザーの好みの画像とすることで、待機時間においてユーザーの好みの画像を鑑賞することができる。
【図面の簡単な説明】
【図１】本発明のデジタル放送受信装置の内部構成を示すブロック図。
【図２】図１のデジタル放送受信装置の動作を示すフローチャート。
【図３】ＭＰＥＧ方式を説明するための図。
【図４】従来のデジタル放送受信装置の内部構成を示すブロック図。
【符号の説明】
１    アンテナ
２    チューナ
３    ＴＳ分離部
４    デコーダ
５    画像重畳装置
６    メモリ
７    画像出力装置
８    ＣＰＵ
【図１】
0003548113.tif 000002
【図２】
0003548113.tif 000003
【図３】
0003548113.tif 000004
【図４】
0003548113.tif 000005